(57)【要約】【課題】  通帳の仕様に係わらずデータの書込み位置精度を保障することのできる通帳の磁気記録機構を提供する。【解決手段】   通帳の搬送路の一方側に形成した搬送基準面２１に当接する通帳３１の一方の辺を磁気ストライプの配置基準とした第１基準通帳に貼付され、搬送方向と直交する方向に形成した横磁気ストライプを読み書きする横磁気ストライプ読み書き機構と、  通帳の搬送路の他方側に形成した幅ガイド５１に当接する通帳の他方の辺を磁気ストライプの配置基準とした第２基準通帳に貼付され、搬送方向と並行する方向に形成した横磁気ストライプ３２を読み書きする縦磁気ストライプ読み書き機構とを備え、  前記幅ガイドは、前記第２基準通帳に貼付された縦磁気ストライプ読み書きする前記縦磁気ストライプを読み書きする磁気ヘッドと連動して前記第２基準通帳を前記搬送基準面側に押圧する。【選択図】図２
2007122497.tif 000002
【特許請求の範囲】
【請求項１】
通帳の搬送路の一方側に形成した搬送基準面に当接する通帳の一方の辺を磁気ストライプの配置基準とした第１基準通帳に貼付され、搬送方向と直交する方向に形成した横磁気ストライプを読み書きする横磁気ストライプ読み書き機構と、
通帳の搬送路の他方側に形成した幅ガイドに当接する通帳の他方の辺を磁気ストライプの配置基準とした第２基準通帳に貼付され、搬送方向と並行する方向に形成した縦磁気ストライプを読み書きする縦磁気ストライプ読み書き機構とを備え、
前記幅ガイドは、前記第２基準通帳に貼付された縦磁気ストライプ読み書きする磁気ヘッドと連動して前記第２基準通帳を前記搬送基準面側に押圧することを特徴とする通帳の磁気記録機構。
【請求項２】
通帳の搬送路の一方側に形成した搬送基準面に当接する通帳の一方の辺を磁気ストライプの配置基準とした第１基準通帳に貼付され、搬送方向と直交する方向に形成した横磁気ストライプを読み書きする横磁気ストライプ読み書き機構と、
通帳の搬送路の他方側に形成した幅ガイドに当接する通帳の他方の辺を磁気ストライプの配置基準とした第２基準通帳に貼付され、搬送方向と並行する方向に形成した縦磁気ストライプを読み書きする縦磁気ストライプ読み書き機構と、
通帳に形成したバーコードの情報を読み取り、搬送路に挿入された通帳が第１基準通帳であるか第２基準通帳であるかを判別するイメージリード機構を備え、
前記幅ガイドは、前記第２基準通帳に貼付された縦磁気ストライプ読み書きする前記縦磁気ストライプを読み書きする磁気ヘッドと連動するように構成され、前記イメージリード機構が搬送路に挿入された通帳が第２基準通帳であると判別したとき、前記第２基準通帳を、前記搬送基準面に前記通帳の一方の辺が当接する寸前の位置まで前記搬送基準面側に押圧することを特徴とする通帳の磁気記録機構。
【請求項３】
通帳の搬送路の一方側に形成した搬送基準面に当接する通帳の一方の辺を磁気ストライプの配置基準とした第１基準通帳に貼付され、搬送方向と直交する方向に形成した横磁気ストライプを読み書きする横磁気ストライプ読み書き機構と、
通帳の搬送路の他方側に形成した幅ガイドに当接する通帳の他方の辺を磁気ストライプの配置基準とした第２基準通帳に貼付され、搬送方向と並行する方向に形成した縦磁気ストライプを読み書きする縦磁気ストライプ読み書き機構と、
通帳に形成したバーコードの情報を読み取り、搬送路に挿入された通帳が第１基準通帳であるか第２基準通帳であるかを判別するイメージリード機構を備え、
前記幅ガイドは、前記第２基準通帳に貼付された縦磁気ストライプ読み書きする前記縦磁気ストライプを読み書きする磁気ヘッドと連動するように構成され、前記イメージリード機構が搬送路に挿入された通帳が第１基準通帳であると判別したとき、前記第１基準通帳を、前記搬送基準面に前記通帳の一方の辺が当接するまで前記搬送基準面側に押圧することを特徴とする通帳の磁気記録機構。
【請求項４】
請求項２に記載した通帳の磁気記録機構において、
第２基準通帳を、前記搬送基準面に前記通帳の一方の辺が当接する寸前の位置まで押圧する機構を備え、該機構は第１基準通帳を押圧する機構に比して短ストロークであることを特徴とする通帳の磁気記録機構。
【請求項５】
請求項３に記載した通帳の磁気記録機構において、
第１基準通帳を、前記搬送基準面に前記通帳の一方の辺が当接する寸前の位置まで押圧する機構を備え、該機構は第２基準通帳を押圧する機構に比して長ストロークであることを特徴とする通帳の磁気記録機構。
【発明の詳細な説明】
【技術分野】
【０００１】
本発明は、通帳の磁気記録機構に係り、特に、磁気データの仕様が異なる複数の通帳を取り扱うことのできる通帳の磁気記録機構に関する。
【背景技術】
【０００２】
近年、銀行の統廃合が進み、仕様の異なる複数の通帳を１台現金自動預け払い機(Automatic Teller Machine)で取扱えるようにとの要求が高まっている。通帳の仕様は各銀行毎に異なり、例えば、通帳の外形が異なり、さらには通帳に印字する際の基準面あるいは磁気データを記録する際の基準面が異なる。例えば、前記基準面がある通帳では通帳の左端（左端基準）であり、他の通帳では通帳の右端（右端基準）である。
【０００３】
このように仕様の異なる複数の通帳を取り扱う装置では、装置の搬送路が、例えば左基準の通帳用に設計されている場合、左基準の通帳に対しては、通帳の基準面を搬送基準面に一致させて搬送し、右基準の通帳に対しては搬送路幅を通帳幅に極力一致させて、通帳の搬送時における左右位置のバラつきを無くするような構造を採用している。
【０００４】
図８，９，１０，１１は、従来の通帳の磁気記録機構を説明する図であり、図８は磁気記録機構の側面図、図９は横磁気ストライプ読み書き機構による読み書き動作を説明する図、図１０は縦磁気ストライプ読み書き機構による読み書き動作を説明する図、図１１は通帳における磁気ストライプの書き込み位置を説明する図である。
【０００５】
図８に示すように、磁気記録機構１０は、通帳１１を吸入する挿入口１２、通帳に貼付された横磁気ストライプを読書きする横磁気ストライプ読書き機構１３、通帳に貼付された縦磁気ストライプを読書きする縦磁気ストライプ読書き機構１４、横および縦磁気ストライプ読み書き機構１３，１４を実装する実装ユニット１５、通帳に形成したバーコードあるいは印字部形成された画像を取込むイメージリード機構１６、通帳に文字を印字する印字ヘッド部１７、通帳の頁をめくる頁替え機構１８を備える。
【０００６】
図９は横磁気ストライプ読み書き機構１３を用いて横磁気ストライプ２４に対して読み書き動作する様子を示している。図において、２１は搬送路の一方側に設けた搬送基準面、２２は搬送基準面２１側に押圧する幅ガイド、２８はこの幅ガイドの移動方向を示した矢印である。２３は左端基準通帳（通帳の左辺（搬送基準面２１に当接する辺）を磁気ストライプの配置基準とした通帳）、２４は横磁気ストライプ、２５は通帳の頁を表す縦バーコード、２６は横磁気ストライプ２４に対して読み書きを行う横磁気ストライプ用磁気ヘッドである。また、２７は横磁気ストライプ用磁気ヘッドの移動方向を示した矢印である。
【０００７】
図１０は縦磁気ストライプ読み書き機構１４を用いて縦磁気ストライプ３２に対して読み書き動作する様子を示している。３１は右端基準通帳（通帳の右辺（幅ガイド２２に当接する辺）を磁気ストライプの配置基準とした通帳）、３２は縦磁気ストライプ、３３は通帳の頁を表す横バーコード、３４は縦磁気ストライプ３２に対して読み書きを行う縦磁気ストライプ用磁気ヘッドである。また、３５は右端基準通帳３１の搬送方向を示した矢印である。  図４は左端基準通帳２３及び右端基準通帳３１の磁気ストライプ書込み位置を示す図である。図において、４１は横磁気ストライプ用磁気ヘッド２６で書込まれたビットデータである。また、４３はスタートビットの規格寸法であり通帳左端からの距離で決定される。また、４２は縦磁気ストライプ用磁気ヘッド３４で書込まれたビットデータである。４４はデータ書込み位置規格であり通帳右端からの距離で決定される。
【発明の開示】
【発明が解決しようとする課題】
【０００８】
ところで、このような通帳の磁気記録機構を用いて磁気ストライプに対してデータを読み書きする場合、通帳の磁気記録機構は、通帳の吸入を検出すると幅ガイド２２を搬送基準面２１側に移動して通帳を押圧する。
【０００９】
例えば、左端基準通帳２３を吸入した場合、幅ガイド２２は左側に移動し、通帳を左側にある搬送基準面２１に押し当てる。その後、横磁気ストライプ２４が横磁気ストライプ読書き機構の上に搬送され、横磁気ストライプ用磁気ヘッド２６が左右に移動し、横磁気ストライプ２４にビットデータを読み書きする。このとき、幅ガイド２２によって通帳左端が搬送基準面２１に押し当てられている為、左端からのスタートビットの書込み位置精度は保障される。
【００１０】
一方、右端基準通帳３１を吸入した場合は、幅ガイド２２が左側に移動し通帳を左側にある搬送基準面２１に押し当てる。このとき、処理時間を短縮させる為、通帳を搬送させながら磁気ストライプを読書きする。しかし、ビットデータの書込み位置は実装ユニット１５の取付け位置、縦磁気ストライプ読書き機構１４の取付け位置、通帳の寸法に依存している。このため、幅ガイド２２により右端基準通帳３１を搬送基準面２１側に押圧しただけでは、通帳の右端から距離４４で規定されるデータ書込み位置規格は保障されない。また幅方向の規制が強すぎる場合は搬送不良を発生する。
【００１１】
このように、左端基準通帳と右端基準通帳が混合した通帳を取り扱う場合、例えば右端基準通帳の通帳の右端からの書込み位置精度が必ずしも保障されないことになる。本発明はこれらの問題点に鑑みてなされたもので、通帳の仕様に係わらずデータの書込み位置精度を保障することのできる通帳の磁気記録機構を提供することにある。
【課題を解決するための手段】
【００１２】
本発明は上記課題を解決するため、次のような手段を採用した。
【００１３】
通帳の搬送路の一方側に形成した搬送基準面に当接する通帳の一方の辺を磁気ストライプの配置基準とした第１基準通帳に貼付され、搬送方向と直交する方向に形成した横磁気ストライプを読み書きする横磁気ストライプ読み書き機構と、通帳の搬送路の他方側に形成した幅ガイドに当接する通帳の他方の辺を磁気ストライプの配置基準とした第２基準通帳に貼付され、搬送方向と並行する方向に形成した縦磁気ストライプを読み書きする縦磁気ストライプ読み書き機構とを備え、前記幅ガイドは、前記第２基準通帳に貼付された縦磁気ストライプ読み書きする磁気ヘッドと連動して前記第２基準通帳を前記搬送基準面側に押圧する。
【発明の効果】
【００１４】
本発明は、以上の構成を備えるため、通帳の仕様に係わらずデータの書込み位置精度を保障することのできる通帳の磁気記録機構を提供することできる。
【発明を実施するための最良の形態】
【００１５】
以下、最良の実施形態を添付図面を参照しながら説明する。図１は、本発明の実施形態に係る通帳の磁気記録機構における幅ガイドの構成を説明する図である。図１に示すように、幅ガイド５１と縦磁気ストライプ３２を読み書きする磁気ヘッド３４はブラケット５２を介して結合されており、磁気ヘッド３４は幅ガイド５１と連動して移動する。
【００１６】
図２は、幅ガイド５１の部分まで通帳を吸引した状態を説明する図である。以下、図１，２を参照して、右端基準通帳３１に対する読み書き精度が、幅ガイドにより、縦磁気ストライプ読み書き機構１４の取付け精度に係わらず保障される点について説明する。
【００１７】
前述したように、右端基準通帳の縦磁気ストライプ書込み位置精度が保障されない原因は、縦磁気ストライプ読み書き機構１４が実装ユニット１５に取付けられており、その取付け精度が問題であった。また、もう一つの原因として、縦磁気ストライプ３２に書込む時、右端基準通帳３１は、幅ガイド２２により搬送基準面２１方向に押付けられ、この状態で通帳を搬送しながらデータを書込んでいく。このため、通帳は幅方向の規制を受けて搬送不良が発生することがある。
【００１８】
本実施形態では、縦磁気ストライプ読み書き機構１４の取付け精度の問題を解決するために、磁気ヘッド３４を縦磁気ストライプ読み書き機構１４から切り離し、フラケット５２を介して幅ガイド５１に取付ける。これにより、右端基準通帳３１の通帳右端に幅ガイド５１が接触していれば取付け精度に影響することなくデータ書込み位置精度が安定して得られることになる。
【００１９】
次に、幅方向の規制による搬送不良の問題は、右端基準通帳３１を搬送基準面２１に押付ける方式を止めることにより解決可能である。すなわち、前述したように右端基準通帳３１の右端に幅ガイド５１が接触していれば書込み精度が得られるため、図２に示すように幅方向に対する幅ガイド５３の規制を弱くして、搬送基準面２１と通帳との間にクリアランスを設ける。これにより搬送しながらデータを書込む方式においても搬送不良が防止され、安定した書込み位置精度を得ることができる。
【００２０】
図３、４は、幅ガイドの駆動方法を説明する図であり、図３は幅ガイド５１を駆動するためのソレノイドリンク機構を示す図である。図３において、７１はソレノイド、７２はプランジャー、７３はリンク機構である。
【００２１】
図４は、前記ソレノイドリンク機構を用いた幅ガイド５３の駆動方法を示す図である。図において、８１は第１のソレノイドリンク機構、８２は第２のソレノイドリンク機構、８３は幅ガイドリンク機構であり、ソレノイドリンク機構８１，８２はそれぞれ幅ガイドリンク機構８３を介して幅ガイド５３を駆動する。
【００２２】
例えば、ソレノイド７１を駆動してプランジャー７２を左または右方向に移動させると、リンク機構７３が上または下に移動する。本実施形態では、このようなソレノイドリンク機構を２個使用し、幅ガイドリンク機構８３を介して幅ガイド５３を左または右方向に移動させる構成としている。
【００２３】
第１のソレノイドリンク機構８１と第２のソレノイドリンク機構８２では、それを駆動したときに幅ガイド５３が左または右方向に動く移動量（ストローク）が異なる。本実施形態においては通帳を搬送基準面２１に押付けたい場合には、幅ガイドの移動量が大きい方が好ましい。また、右端基準通帳３１にデータを書込ませる場合には幅方向の規制を少なくするため幅ガイド５３の移動量が少ない方が好ましい。そこで左端基準通帳２３の横磁気ストライプ２４にデータを読書きさせる時には第１のソレノイドリンク機構８１を駆動し、右端基準通帳３１の縦磁気ストライプ３２にデータを読書きさせる場合は第２のソレノイドリンク機構８２を駆動して幅ガイド５３を駆動する。
【００２４】
図５、６，７は、磁気ストライプの読み書き処理を説明する図であり、図５は通帳判別処理を説明する図、図６は横磁気ストライプの読み書き処理を説明する図、図７は縦磁気ストライプの読み書き処理を説明する図である。
【００２５】
図５において、まず、ステップ９０１において、ＡＴＭの利用者は、通帳を磁気記録機構１０の挿入口１２に挿入して吸入させる。この時点では、ＡＴＭは利用者が右端基準通帳を吸入させたのか左端基準通帳を吸入させたのかを判別することはできない。ステップ９０２において、吸入した通帳をイメージリード部１７まで搬送し、通帳のバーコードのイメージを読込む。ステップ９０３において、読み込んだバーコードを解析して、読み込んだ通帳が左端基準通帳であるか、右端基準通帳であるかを判別する。例えば、読み込んだイメージが横バーコード２５であった場合は左端基準通帳であると判断し、読み込んだイメージが縦バーコード２３であった場合は右端基準通帳であると判断する。
【００２６】
ステップ９０４において、前記読み込んだ通帳の判断結果が左端基準通帳である場合にはステップ９０５（図６の処理）に進む。また、ステップ９０６において、前記読み込んだ通帳の判断結果が右端基準通帳である場合にはステップ９０７（図７の処理）に進む。
【００２７】
ステップ９０８において、バーコードの有無（例えば通帳を逆向きに挿入した場合にはバーコードを検出できない）を判断し、バーコードが検出されない場合には、ステップ９１０において通帳を排出し、ステップ９１１において取引を中止する。
【００２８】
バーコードが検出できる場合は、ステップ９０９において、リトライ回数が１回目であるか否かを判別し、１回目であれば、ステップ９０２に戻り、もう一度だけバーコード解析を始める。しかし、既にリトライをしている場合には、ステップ９１０において通帳を排出し、ステップ９１１において取引を中止する。
【００２９】
図６は横磁気ストライプの読み書き処理を説明する図である。前記通帳判別処理により読み込んだ通帳を左端基準通帳（横磁気ストライプの通帳）として判別した場合、まず、ステップ１００１において、第１のソレノイドリンク機構８１を駆動し、ステップ１００２において、通帳の左端基準通帳を搬送基準面に押し当てる。すなわち、図４に示すようにソレノイドリンク機構８１を駆動した方がソレノイドリンク機構８２を駆動した場合より幅ガイド５１の移動変位量が大きくなり、これにより左端基準通帳を搬送基準面に押し当てることができる。
【００３０】
ステップ１００３において、搬送基準面に押し当てられた左端基準通帳は横磁気ストライプ読み書き機構１３に搬送され、ここで実際に磁気ストライプの読書きが実行される。まず、ステップ１００４において、横磁気ストライプリードが実行される。このとき横磁気ストライプ読み書き機構１３は、左端基準通帳２３に貼付してある横磁気ストライプ２４と接触して左または右に移動することによってデータを読込む。
【００３１】
ステップ１００５において、読み取りが正常に行われたか否かを判断し、正常に行われた場合には、ステップ１００７において、横磁気ストライプ２４に対して書き込みを行う。ステップ１００８において、書き込みが正常に行われたか否かを判断し、正常に行われた場合には、次の処理を行う。
【００３２】
ステップ１００５あるいはステップ１００８において、処理が正常に行われなかった場合は、それぞれステップ１００６あるいはステップ１００９に進み、ここで、リトライ回数が１回目であるか否かを判別し、１回目であれば、ステップ１００４あるいはステップ１００７に戻り、もう一度だけ読み書き動作をを始める。しかし、既にリトライをしている場合には、ステップ１０１０において通帳を排出し、ステップ１０１１において取引を中止する。
【００３３】
図７は縦磁気ストライプの読み書き処理を説明する図である。前記通帳判別処理により読み込んだ通帳を右端基準通帳（縦磁気ストライプの通帳）として判別した場合、まず、ステップ１１０１において、第２のソレノイドリンク機構８２を駆動して幅ガイド２２を右端基準通帳の右端に移動させる。これは、前記第２のソレノイドリンク機構８２を駆動することによって実現できる。前記第２のソレノイドリンク機構８２を駆動する場合は、幅ガイド５３の左右の移動変位を第１のソレノイドリンク機構８１を駆動する場合よりも少なくすることができる。このため、通帳に対する幅方向の規制を緩和することができ、搬送基準面２１と通帳の間に前述のクリアランスを設けることができる。これにより通帳の搬送不良を防止することができる。
【００３４】
ステップ１１０２において、縦磁気ストライプリードが実行される。このとき縦磁気ストライプ読み書き機構１４は、左端基準通帳２３に貼付してある縦磁気ストライプ３２と接触して前後に移動することによってデータを読込む。
【００３５】
ステップ１１０３において、読み取りが正常に行われたか否かを判断し、正常に行われた場合には、ステップ１１０７において、縦磁気ストライプ３２に対して書き込みを行う。ステップ１１０８において、書き込みが正常に行われたか否かを判断し、正常に行われた場合には、次の処理を行う。
【００３６】
ステップ１１０３あるいはステップ１１０７において、処理が正常に行われなかった場合は、それぞれステップ１１０４あるいはステップ１１０９に進み、ここで、リトライ回数が１回目であるか否かを判別し、１回目であれば、ステップ１１０２あるいはステップ１１０７に戻り、もう一度だけ読み書き動作をを始める。しかし、既にリトライをしている場合には、ステップ１１０５において通帳を排出し、ステップ１１０６において取引を中止する。
【００３７】
以上説明したように、本実施形態によれば、幅ガイド５１と磁気ヘッド３４をブラケット５２を介して結合する。このため磁気ヘッド３４を取付けた幅ガイド５１を、右端基準通帳３１側に押圧して、右端基準通帳３１の右端と幅ガイド５１を接触させるのみで、書込み精度を保障することができる。
【図面の簡単な説明】
【００３８】
【図１】本実施形態に係る通帳の磁気記録機構における幅ガイドの構成を説明する図である。
【図２】幅ガイド５１の部分まで通帳を吸引した状態を説明する図である。
【図３】幅ガイド５１を駆動するためのソレノイドリンク機構を示す図である。
【図４】前記ソレノイドリンク機構を用いた幅ガイド５３の駆動方法を示す図である。
【図５】通帳判別処理を説明する図である。
【図６】横磁気ストライプの読み書き処理を説明する図である。
【図７】縦磁気ストライプの読み書き処理を説明する図である。
【図８】磁気記録機構の側面図である。
【図９】横磁気ストライプ読み書き機構による読み書き動作を説明する図である。
【図１０】縦磁気ストライプ読み書き機構による読み書き動作を説明する図である。
【図１１】通帳における磁気ストライプの書き込み位置を説明する図である。
【符号の説明】
【００３９】
１１  通帳
１２  挿入口
１３  横磁気ストライプ読み書き機構
１４  縦磁気ストライプ読み書き機構
１５  実装ユニット
１６  イメージリード機構
１８  頁替え機構
２１  搬送基準面
２２  幅ガイド
２３  左端基準通帳
２４  横磁気ストライプ
２５  縦バーコード
２６  横磁気ストライプ用磁気ヘッド
２７  横磁気ストライプ用磁気ヘッドの移動方向
２８  幅ガイドの移動方向
３１  右端基準通帳
３２  縦磁気ストライプ
３３  横バーコード
３４  縦磁気ストライプ用磁気ヘッド
３５  通帳の搬送方向
４１，４２  ビットデータ
４３  スタートビット
４４  データ書き込み位置規格  
５１  幅ガイド
５２  ブラケット
７１  ソレノイド
７２  プランジャー
７３  リンク
８１  第１のソレノイドリンク機構
８２  第２のソレノイドリンク機構
８３  幅ガイドリンク機構
【図１】
2007122497.tif 000003
【図２】
2007122497.tif 000004
【図３】
2007122497.tif 000005
【図４】
2007122497.tif 000006
【図５】
2007122497.tif 000007
【図６】
2007122497.tif 000008
【図７】
2007122497.tif 000009
【図８】
2007122497.tif 000010
【図９】
2007122497.tif 000011
【図１０】
2007122497.tif 000012
【図１１】
2007122497.tif 000013